(57)【要約】    【課題】  歩行能力の低下した老人や肢体不自由な方であっても、簡易な操作によって雪道等を安全に歩行することを可能とする、電動出入式滑り止め具付き杖を提供すること。    【解決手段】  電動出入式滑り止め具付き杖１０は、中空軸２と、中空軸２の一端部に設けられた握り部１と、中空軸２内の他端部側に設けられた滑り止め具５とを備えてなり、握り部１近傍に使用者が握り部１を把持しつつ押圧操作することができるようにスイッチ６が設けられ、中空軸２内にはスイッチ６の操作によって滑り止め具５を中空軸２からの軸方向上の出入せしめるための電動式駆動手段３が設けられていることを主たる構成とする。【選択図】  図１
2006129963.tif 000002
【特許請求の範囲】
【請求項１】
中空軸と、該中空軸の一端部に設けられた握り部と、該中空軸内の他端部側に設けられた滑り止め具とを備えてなる電動出入式滑り止め具付き杖であって、該握り部近傍に使用者が該握り部を把持しつつ押圧操作することができるように設けられたスイッチを操作することによって、該中空軸内に設けられた電動式駆動手段により該滑り止め具の該中空軸からの軸方向上の出入がなされることを特徴とする、電動出入式滑り止め具付き杖。
【請求項２】
前記電動式駆動手段は、前記スイッチの操作により回転するモータと、該モータによる回転運動を直線運動に変換するための変換部とからなり、該変換部に前記滑り止め具が接続されており、該電動式駆動手段は、該モータを正逆回転でき、それにより該変換部は前記滑り止め具の正逆方向の直線運動を可能とすることを特徴とする、請求項１に記載の電動出入式滑り止め具付き杖。
【請求項３】
前記滑り止め具は接地面に対する突部を有してなることを特徴とする、請求項１または２に記載の電動出入式滑り止め具付き杖。
【請求項４】
前記突部はニ以上設けられていることを特徴とする、請求項３に記載の電動出入式滑り止め具付き杖。
【発明の詳細な説明】
【技術分野】
【０００１】
本発明は電動出入式滑り止め具付き杖に係り、特に、歩行能力の低下した老人や肢体不自由な方であっても、簡易な操作によって雪道等を安全に歩行することを可能とする、電動出入式滑り止め具付き杖に関する。
【背景技術】
【０００２】
歩行能力の低下した老人や肢体不自由な方が、雪国の冬期間に、雪が積もったり踏み固められたりした道を、あるいはアイスバーンとなった道を歩行する場合、相当に神経を使い、それでもなお危険である。また、屋内において雪等で床面が滑りやすくなっているような場合も同様である。従来、このような場合における歩行支援のために、滑り止め具の設けられた杖等が、複数提案されている。
【０００３】
後掲特許文献１に開示された提案は、杖の先端部に装着したゴム製キャップの底面に位置するように構成された滑り止め具が、下部に回動自在に取り付けられた杖である。
【０００４】
また、特許文献２に開示された提案は、杖内部にネジ回転によるストローク可変の心棒を設け、これを出し入れするというものである。また、特許文献３に開示された提案は、バネによってストローク可変の心棒の出し入れを行うというものである。このように、種々の方法により雪道での歩行安全確保を目的とした、滑り止め具付きの杖が提案されている。
【０００５】
【特許文献１】特開２０００−３００３１７号公報。
【特許文献２】実開昭６２−１４８１２４号公報。
【特許文献３】実開平０９−１０６１８号公報。
【発明の開示】
【発明が解決しようとする課題】
【０００６】
しかし、上述の提案はいずれも、滑り止め具の固定が完全には行えないか、または不安定な状態での使用を余儀なくされるものであり、あるいはまたその操作が必ずしも簡易なものではない。たとえば、両手を使わなくては操作できなかったり、もしくは杖の握り部を把持する手の姿勢の変更や離しを余儀なくされたり、あるいはまた滑り止め具の出入操作の際に杖先を地面から離さなくてはならなかったり、操作に手間取ってそれに気をとられてしまいやすかったり等、歩行者の姿勢のバランスの維持、操作性の面で満足のいくものとはいえない。したがって、ただでさえ歩きにくく危険の多い雪道等において、杖の操作によって却って転倒する可能性がある等、安全確保の面で満足のいくものではなかった。
また、屋内の滑りやすい箇所での歩行の場合は、従来の提案では滑り止め具出入等に一定の時間がかかるためにこれを収納したりすることに時間がかかり、その結果、滑り止め具の先端で床面等を傷つけてしまうこととなり、問題があった。
【０００７】
本発明が解決しようとする課題は、上記従来技術の問題点を除き、歩行能力の低下した老人や肢体不自由な方であっても、簡易な操作によって雪道等を安全に歩行することを可能とする、電動出入式滑り止め具付き杖を提供することである。特に、杖先を地面から離すことなく簡易に片手で操作することができる、電動出入式滑り止め具付き杖を提供することである。また、作動時間が短くて、屋内での使用の場合であっても、床面等の損傷をなくす、もしくは軽減することのできる、電動出入式滑り止め具付き杖を提供することである。
【課題を解決するための手段】
【０００８】
本願発明者は上記課題について検討した結果、電動式の構成を用いることによって上記課題の解決が可能であることを見出し、本発明に至った。すなわち、上記課題を解決するための手段として本願で特許請求される発明、もしくは少なくとも開示される発明は、以下のとおりである。
【０００９】
（１）  中空軸と、該中空軸の一端部に設けられた握り部と、該中空軸内の他端部側に設けられた滑り止め具とを備えてなる電動出入式滑り止め具付き杖であって、該握り部近傍に使用者が該握り部を把持しつつ押圧操作することができるように設けられたスイッチを操作することによって、該中空軸内に設けられた電動式駆動手段により該滑り止め具の該中空軸からの軸方向上の出入がなされることを特徴とする、電動出入式滑り止め具付き杖。
（２）  前記電動式駆動手段は、前記スイッチの操作により回転するモータと、該モータによる回転運動を直線運動に変換するための変換部とからなり、該変換部に前記滑り止め具が接続されており、該電動式駆動手段は、該モータを正逆回転でき、それにより該変換部は前記滑り止め具の正逆方向の直線運動を可能とすることを特徴とする、（１）に記載の電動出入式滑り止め具付き杖。
（３）  前記滑り止め具は接地面に対する突部を有してなることを特徴とする、（１）または（２）に記載の電動出入式滑り止め具付き杖。
（４）  前記突部はニ以上設けられていることを特徴とする、（３）に記載の電動出入式滑り止め具付き杖。
【発明の効果】
【００１０】
本発明の電動出入式滑り止め具付き杖は上述のように構成されるため、これによれば、歩行能力の低下した老人や肢体不自由な方であっても、簡易な操作によって雪道等を安全に歩行することができる。特に、杖先を地面から離すことなく簡易に片手で、それこそワンタッチ操作による滑り止め具の出入を行うことができ、使用者が身体のバランスを崩すことが防止されるとともに、滑り止め具の固定も確実であるため、雪道等の歩行がしやすい。
また、操作がワンタッチで即座にでき、滑り止め具の出入作動時間が極めて短いため、屋内での使用の場合であっても、床面等の損傷をなくする、もしくは相当軽減することができる。
【発明を実施するための最良の形態】
【００１１】
以下、本発明を図面により詳細に説明する。
図１は、本発明の電動出入式滑り止め具付き杖の基本的構成例を示す説明図である。図において本電動出入式滑り止め具付き杖１０は、中空軸２と、該中空軸２の一端部に設けられた握り部１と、該中空軸２内の他端部側に設けられた滑り止め具５とを備えてなり、該握り部１近傍に使用者が該握り部１を把持しつつ押圧操作することができるようにスイッチ６が設けられ、該中空軸２内には、該スイッチ６の操作によって該滑り止め具５を該中空軸２からの軸方向上の出入せしめるための電動式駆動手段３が設けられていることを、主たる構成とする。
【００１２】
該電動式駆動手段３は、該スイッチ６における入力操作に基づき、これに接続された該滑り止め具５を、該中空軸２から軸方向上に出入させる直線駆動が、電気的になされるものである。
【００１３】
かかる構成により、本発明電動出入式滑り止め具付き杖１０では、該スイッチ６が押圧操作されると、それによって該中空軸２内部で該電動式駆動手段３が作動し、該滑り止め具５が該中空軸２の軸方向上に出入駆動される。該スイッチ６における操作は、該握り部１を把持する動作を維持しつつ、その片手でなすことができる。
【００１４】
該滑り止め具５は通常時は該中空軸２内部に収納された状態であって、本杖１０の先端部からは突出しておらず、該スイッチ６を操作することによって杖１０の先端部方向に直線駆動され、先端部から突出してその位置で確実に固定し、杖１０は滑り止め機能が発揮される状態となる。再度該スイッチ６を操作することにより、該滑り止め具５は、該握り部１方向に直線駆動され、先端部から引き込まれて該中空軸２内部に収納され、通常の使用状態に戻る。
【００１５】
該スイッチ６による操作は押圧のみに限定されず、また操作による駆動の態様はかかるものには限られない。しかしながら、１回押圧操作するごとに所定量の直線移動が反対向きになされるような構成は、使用者にとっても便宜である。
さらに、該滑り止め具５の出入作動はワンタッチ操作によって即座になされ、該滑り止め具５の出入作動時間は極めて短い。
【００１６】
図２は、本発明の電動出入式滑り止め具付き杖の実施例を示す断面説明図および先端面説明図である。図において本実施例２０は、図１で説明した構成に加え、前記電動式駆動手段２３が、前記スイッチ２６の操作により回転するモータ２３３と、該モータ２３３による回転運動を直線運動に変換するための変換部２３４とからなり、また、該変換部２３４に前記滑り止め具２５が接続されており、さらに該電動式駆動手段２３は該モータ２３３を正逆回転できるように構成されることを、特徴とする。
【００１７】
本実施例２０は上述のように構成されるため、該スイッチ２６が操作されると、該電動式駆動手段２３の該モータ２３３が回転し、その回転運動は、該変換部２３４によって直線運動に変換され、その直線運動は該変換部２３４に接続された該滑り止め具２５を直線運動させる。該電動式駆動手段２３は、該スイッチ２６における操作によって該モータ２３３を正逆回転させることができるため、該変換部２３４は該滑り止め具２５の正逆方向の直線運動を可能とする。つまり、該滑り止め具２５は、本杖２０の先端部からの突出と、該中空軸２２内部への収納すなわち杖２０からの出入が自在になされ、必要に応じた滑り止め機能の発揮が可能である。なお、符号２５で示される杖先としては、ゴム製のものを好適に用いることができるが、本発明は杖先の材料には限定されない。
【００１８】
本発明の電動出入式滑り止め具付き杖においては、前記滑り止め具は接地面に対する突部を有してなるものとすることができる。かかる構造により、雪道やアイスバーン等の足をとられやすい、または滑りやすい路面に、滑らないように杖をより確実に接地させて、使用者の身体をより確実に支持することができる。
【００１９】
本発明の電動出入式滑り止め具付き杖においてはまた、前記突部は、図２に例示したように、ニ以上設けることとすることもできる。
【産業上の利用可能性】
【００２０】
本発明の電動出入式滑り止め具付き杖は上述のように構成されるため、歩行能力の低下した老人や肢体不自由な方であっても、もちろん健常者であっても、簡易な操作によって雪道等を安全に歩行することができる。特に、杖先を地面から離すことなく簡易に片手のみで滑り止め具の出入操作を、ワンタッチで簡易にかつ即座に行うことができ、使用者が身体のバランスを崩すことが防止されるとともに、滑り止め具の固定も確実であるため、雪道等の歩行がしやすい。また、足をとられやすい路面、滑りやすい路面や床面等における安全な歩行が可能であるため、地域的に限定されることなく、高齢者・福祉産業分野その他関連する産業分野において利用価値が高い発明である。
【図面の簡単な説明】
【００２１】
【図１】本発明の電動出入式滑り止め具付き杖の基本的構成例を示す説明図である。
【図２】本発明の電動出入式滑り止め具付き杖の実施例を示す断面説明図および先端面説明図である。
【符号の説明】
【００２２】
１０…電動出入式滑り止め具付き杖
１…握り部
２…中空軸
３…電動式駆動手段
５…滑り止め具
６…スイッチ
２０…電動出入式滑り止め具付き杖２０
２１…握り部
２２…中空軸
２３…電動式駆動手段
２６…スイッチ
２３１…制御回路
２３２…電池ボックス
２３３…モータ
２３４…変換部
２３８…ケーブル
２５…滑り止め具
２９…ゴム製杖先
【図１】
2006129963.tif 000003
【図２】
2006129963.tif 000004